(57)【要約】【課題】  音声入力端子とアンプ回路との間に入力音声信号の有無を検出する検出回路を設けることなく、無音時に消費電力を低減すること。【解決手段】  ＡＶアンプ１は、入力音声信号を増幅し、出力音声信号を出力するアンプ回路４と、アンプ回路４から出力される出力音声信号の信号レベルを検出する信号レベル検出手段と、信号レベル検出手段によって検出された、アンプ回路４から出力される出力音声信号の信号レベルが、無音判断基準値未満である状態が、所定時間以上継続したか否かを判断する第１信号レベル判断手段と、アンプ回路４から出力される出力音声信号の信号レベルが無音判断基準値未満である状態が所定時間以上継続した場合に、ＡＶアンプ１を電源オン状態から電源オフ状態に移行させる電源制御手段とを備える。【選択図】図１
2011166736.tif 000002
【特許請求の範囲】
【請求項１】
入力音声信号を増幅し、出力音声信号を出力するアンプ回路と、
前記アンプ回路から出力される出力音声信号の信号レベルが、無音判断基準値未満であるか否かを判断する第１信号レベル判断部と、
前記アンプ回路から出力される出力音声信号の信号レベルが無音判断基準値未満であると判断された場合に、増幅装置を電源オン状態から電源オフ状態に移行させる電源制御部とを備える、増幅装置。
【請求項２】
前記第１信号レベル判断部が、前記アンプ回路から出力される出力音声信号の信号レベルが、無音判断基準値未満である状態が所定時間以上継続したか否かを判断し、
前記アンプ回路から出力される出力音声信号の信号レベルが無音判断基準値未満である状態が所定時間以上継続したと判断された場合に、前記電源制御部が、増幅装置を電源オン状態から電源オフ状態に移行させる、請求項１に記載の増幅装置。
【請求項３】
前記アンプ回路から出力される出力音声信号の信号レベルが、アンプ保護基準値以上であるか否かを判断する第２信号レベル判断部と、
前記アンプ回路から出力される出力音声信号の信号レベルが前記アンプ保護基準値以上であると判断された場合に、前記アンプ回路を保護する処理を実行するアンプ保護部とをさらに備える、請求項１または２に記載の増幅装置。
【請求項４】
前記入力音声信号の信号レベルを設定されたボリューム値に応じて調整し、前記アンプ回路に供給するボリューム調整部と、
前記ボリューム調整部の前記ボリューム値をユーザ操作に応じて設定するボリューム値設定部と、
前記ボリューム値と前記無音判断基準値とを対応付けて予め管理する無音判断基準値管理部と、
前記ボリューム値設定部によって設定されたボリューム値に対応する前記無音判断基準値を、前記無音判断基準値管理部から読み出して、前記無音判断基準値として決定する無音判断基準値決定部とをさらに備える、請求項１〜３のいずれかに記載の増幅装置。
【請求項５】
前記無音判断基準値管理部が、前記ボリューム値が大きくなるほど前記無音判断基準値が大きくなるように、前記ボリューム値と前記無音判断基準値とを対応付けて予め管理する、請求項４に記載の増幅装置。
【請求項６】
前記入力音声信号が複数チャンネルの入力音声信号を含み、
前記第１信号レベル判断部が、前記アンプ回路から出力される複数チャンネルの出力音声信号の合成信号の信号レベルが、無音判断基準値未満であるか否かを判断し、
前記電源制御部が、前記アンプ回路から出力される複数チャンネルの出力音声信号の合成信号の信号レベルが、無音判断基準値未満であると判断された場合に、増幅装置を電源オン状態から電源オフ状態に移行させる、請求項１〜５のいずれかに記載の増幅装置。
【発明の詳細な説明】
【技術分野】
【０００１】
本発明は、無音時の消費電力を低減する増幅装置に関する。
【背景技術】
【０００２】
下記特許文献１には、アンプの出力信号を検出し、アンプの出力信号が大きいときにファンを駆動し、アンプを冷却することにより、アンプを保護する技術が記載されている。下記特許文献２には、アンプの出力信号を検出し、アンプの出力信号が大きいときにアンプに供給する電源電圧を高電圧から低電圧に切り換えることにより、アンプを保護する技術が記載されている。
【０００３】
また、下記特許文献３には、アンプに入力される音声信号が基準電圧未満である場合に、アンプに供給する電源電圧をオフ状態とすることにより、無音時の消費電力を低減する技術が記載されている。この技術によると、アンプに入力される音声信号の有無を検出する検出回路を、音声入力端子とアンプとの間に設ける必要があるので、回路規模が大きくなり、コストが増大するという問題がある。なお、複数の音声入力端子を備えるＡＶアンプの場合には、複数の音声入力端子毎に音声信号の有無を検出する検出回路を設ける必要があるので、回路規模がさらに大きくなり、コストがさらに増大する。
【先行技術文献】
【特許文献】
【０００４】
【特許文献１】特開平７−２２６６３３号公報
【特許文献２】特開２００８−１１８８２５号公報
【特許文献３】特開平８−２４２１２４号公報
【発明の概要】
【発明が解決しようとする課題】
【０００５】
本発明は上記従来の課題を解決するためになされたものであり、その目的は、音声入力端子とアンプ回路との間に入力音声信号の有無を検出する検出回路を設けることなく、増幅装置の未使用時に消費電力を低減することができる増幅装置を提供することである。
【課題を解決するための手段】
【０００６】
本発明の好ましい実施形態による増幅装置は、入力音声信号を増幅し、出力音声信号を出力するアンプ回路と、前記アンプ回路から出力される出力音声信号の信号レベルが、無音判断基準値未満であるか否かを判断する第１信号レベル判断部と、前記アンプ回路から出力される出力音声信号の信号レベルが無音判断基準値未満であると判断された場合に、増幅装置を電源オン状態から電源オフ状態に移行させる電源制御部とを備える。
【０００７】
アンプ回路の出力音声信号の信号レベルを検出することによって無音状態であるか否かを判断しているので、音声入力端子とアンプ回路との間に入力音声信号の有無を検出する検出回路を設ける必要がない。従って、増幅装置が複数の音声入力端子を備える場合であっても、各音声入力端子に対して検出回路を設ける必要がないので、回路規模を小さくすることができ、コストを削減することができる。
【０００８】
好ましい実施形態においては、前記第１信号レベル判断部が、前記アンプ回路から出力される出力音声信号の信号レベルが、無音判断基準値未満である状態が所定時間以上継続したか否かを判断し、前記アンプ回路から出力される出力音声信号の信号レベルが無音判断基準値未満である状態が所定時間以上継続したと判断された場合に、前記電源制御部が、増幅装置を電源オン状態から電源オフ状態に移行させる。
【０００９】
好ましい実施形態においては、前記アンプ回路から出力される出力音声信号の信号レベルが、アンプ保護基準値以上であるか否かを判断する第２信号レベル判断部と、前記アンプ回路から出力される出力音声信号の信号レベルが前記アンプ保護基準値以上であると判断された場合に、前記アンプ回路を保護する処理を実行するアンプ保護部とをさらに備える。
【００１０】
この場合、アンプ保護部のための信号レベル検出部と、電源制御部のための信号レベル検出部とが兼用されている。従って、アンプ保護部を設ける場合には、電源制御部のために別途信号レベル検出部を設ける必要がないので、回路規模を小さくすることができ、コストを削減することができる。
【００１１】
好ましい実施形態においては、前記入力音声信号の信号レベルを設定されたボリューム値に応じて調整し、前記アンプ回路に供給するボリューム調整部と、前記ボリューム調整部の前記ボリューム値をユーザ操作に応じて設定するボリューム値設定部と、前記ボリューム値と前記無音判断基準値とを対応付けて予め管理する無音判断基準値管理部と、前記ボリューム値設定部によって設定されたボリューム値に対応する前記無音判断基準値を、前記無音判断基準値管理部から読み出して、前記無音判断基準値として決定する無音判断基準値決定部とをさらに備える。
【００１２】
好ましい実施形態においては、前記無音判断基準値管理部が、前記ボリューム値が大きくなるほど前記無音判断基準値が大きくなるように、前記ボリューム値と前記無音判断基準値とを対応付けて予め管理する。
【００１３】
ボリューム値が大きく設定され、ノイズ信号の信号レベルが大きく増幅されても、無音判断基準値も同様に大きく設定されるので、無音状態において、ノイズ信号が無音判断基準値以上になることが防止される。その結果、無音状態を正確に判別することができる。また、ボリューム値が小さく設定されると、無音判断基準値も小さく設定されるので、音声信号の信号レベルが小さい場合に誤って無音であると誤判断されることを防止できる。
【００１４】
好ましい実施形態においては、前記入力音声信号が複数チャンネルの入力音声信号を含み、前記第１信号レベル判断部が、前記アンプ回路から出力される複数チャンネルの出力音声信号の合成信号の信号レベルが、無音判断基準値未満であるか否かを判断し、前記電源制御部が、前記アンプ回路から出力される複数チャンネルの出力音声信号の合成信号の信号レベルが、無音判断基準値未満であると判断された場合に、増幅装置を電源オン状態から電源オフ状態に移行させる。
【００１５】
この場合、各チャンネルに対して信号レベル検出部を設ける必要がなく、回路規模を小さくすることができる。
【発明の効果】
【００１６】
音声入力端子とアンプ回路との間に入力音声信号の有無を検出する検出回路を設けることなく、増幅装置の未使用時に消費電力を低減することができる増幅装置を提供することができる。
【図面の簡単な説明】
【００１７】
【図１】本発明の好ましい実施形態によるＡＶアンプ１を示すブロック図である。
【図２】ＡＶアンプ１のマイコン７を示す機能ブロック図である。
【図３】オートパワーオフ処理部７ｃの処理を示すフローチャートである。
【図４】本発明の好ましい実施形態によるＡＶアンプ２１を示すブロック図である。
【図５】ＡＶアンプ２１のマイコン７を示す機能ブロック図である。
【図６】無音判断基準値テーブルを示す図である。
【図７】オートパワーオフ処理部７ｃの処理を示すフローチャートである。
【図８】本発明の好ましい実施形態によるＡＶアンプ３１を示すブロック図である。
【図９】本発明の好ましい実施形態によるＡＶアンプ４１を示すブロック図である。
【図１０】半波整流積分回路を示す回路図である。
【図１１】オートパワーオフ処理部７ｃの処理を示すフローチャートである。
【発明を実施するための形態】
【００１８】
以下、本発明の好ましい実施形態について、図面を参照して具体的に説明するが、本発明はこれらの実施形態には限定されない。図１は、本発明の好ましい実施形態によるＡＶアンプ１を示すブロック図である。ＡＶアンプ１は、音声入力端子２と、ボリューム調整回路３と、パワーアンプ回路４と、スピーカーターミナル５と、半波整流積分回路６と、マイコン７と、アンプ電源供給回路８と、ファン９と、ファン駆動回路１０と、電源供給回路１１とを備える。
【００１９】
音声入力端子２は、ＣＤプレーヤ等が接続可能であり、ＣＤプレーヤから音声信号が入力され、入力された音声信号をボリューム調整回路３に供給する。なお、実際には、ＡＶアンプ１は、複数の音声入力端子２とセレクタ回路とを備え、セレクタ回路によって選択された音声入力端子２に入力された音声信号がボリューム調整回路３に供給される。ボリューム調整回路３は、音声入力端子２から供給された音声信号のボリューム値を調整し、パワーアンプ回路４に供給する。パワーアンプ回路４は、ボリューム調整回路３からの音声信号を増幅し、スピーカーターミナル５を介して、外部に接続されるスピーカーに音声信号を供給する。
【００２０】
半波整流積分回路６、マイコン７、アンプ電源供給回路８、ファン９およびファン駆動回路１０はアンプ保護回路を構成する。アンプ保護回路は、パワーアンプ回路４からの出力音声信号の信号レベル（振幅値）が極端に大きくなり、パワーアンプ回路４（詳細にはＩＣやトランジスタ等）が熱、過電圧又は過電流等の理由により破損することを防止する。
【００２１】
半波整流積分回路６は、パワーアンプ回路４からの出力音声信号が供給され、パワーアンプ回路４からの信号レベルの変動が激しい出力音声信号を、マイコン７で検出できるように信号レベルの変動がなだらかな音声信号に変換し、マイコン７のＡＤポートに供給する。つまり、半波整流積分回路６はローパスフィルタとしても機能する。
【００２２】
マイコン７は、半波整流積分回路６からＡＤポートに供給される音声信号をＡＤ（アナログ−デジタル）変換し、音声信号のデジタル値を生成する。図２は、マイコン７の機能ブロック図である。マイコン７は、その機能として、ピーク検出処理部７ａと、アンプ保護処理部７ｂと、オートパワーオフ処理部７ｃとを含む。
【００２３】
ピーク検出処理部７ａは、所定時間（例えば５秒間）における、音声信号のデジタル値のピーク値を求める。すなわち、ピーク検出処理部７ａは、上記所定時間（例えば５秒間）より十分に短い時間（例えば１０ミリ秒）の間隔で音声信号のデジタル値が入力され（図１、図２における（１））、前回までのピーク値と比較する。前回までのピーク値よりも大きければ、今回入力された音声信号のデジタル値がピーク値として更新される。前回までのピーク値よりも小さければ、ピーク値は更新されない。
【００２４】
アンプ保護処理部７ｂは、ピーク検出処理部７ａによって求められたピーク値を監視しており、ピーク値が第１基準値以上である状態が所定時間以上継続した場合に（もしくは、ピーク値が第１基準値以上になるとすぐに）、パワーアンプ４に供給する電源電圧を遮断させる、又は、パワーアンプ４に供給する電源電圧を高電圧から低電圧に切り換えさせる指示（図１、図２における（２））をアンプ電源供給回路８に供給する。
【００２５】
また、アンプ保護処理部７ｂは、ピーク値が第２基準値（第１基準値と同じでもよく、異なっていてもよい。）以上である状態が所定時間以上継続した場合に（もしくは、ピーク値が第２基準値以上になるとすぐに）、ファン９を停止状態から駆動状態に切り換えさせる、又は、ファン９の回転速度を低速から高速に変更させる指示（図１、図２における（３））をファン駆動回路１０に供給する。
【００２６】
アンプ電源供給回路８は、マイコン７からの指示（２）に応じて、パワーアンプ回路４に電源電圧を供給する状態から、パワーアンプ回路４に電源電圧を供給しない状態に切り換える。もしくは、アンプ電源供給回路８は、マイコン７からの指示（２）に応じて、パワーアンプ回路４に供給する電源電圧を高電圧から低電圧に切り換える。つまり、パワーアンプ回路４からの出力音声信号の信号レベルが大きい状態が所定時間以上継続し、その結果、半波整流積分回路６からの音声信号のデジタル値が第１基準値以上である状態が所定時間以上継続した場合に、アンプ電源供給回路８は、パワーアンプ回路４への電源電圧の供給を停止する、又は、パワーアンプ回路４に供給する電源電圧を低電圧に切り換え、パワーアンプ回路４の破損を防止する。
【００２７】
ファン駆動回路１０は、マイコン７からの指示（３）に応じて、ファン９を停止状態から駆動状態に切り換えさせる。もしくは、ファン駆動回路１０は、マイコン７からの指示（３）に応じて、ファン９の回転速度を低速から高速に切り換えさせる。つまり、パワーアンプ回路４からの出力音声信号の信号レベルが大きい状態が所定時間以上継続し、その結果、半波整流積分回路６からの音声信号のデジタル値が第２基準値以上である状態が所定時間以上継続した場合に、ファン駆動回路１０は、ファン９を停止状態から駆動状態に切り換え、又は、ファン９の回転速度を低速から高速に切り換え、パワーアンプ回路４の破損を防止する。
【００２８】
なお、アンプ保護回路は、アンプ電源供給回路８と、ファン９およびファン駆動回路１０とのいずれか一方のみを設けるようにしてもよい。
【００２９】
半波整流積分回路６、マイコン７および電源供給回路１１はオートパワーオフ回路を構成する。オートパワーオフ回路は、無音状態（音声信号が音声入力端子２に入力されない状態）が所定時間以上継続したときに、ＡＶアンプ１の電源状態を電源オン状態から電源オフ状態に自動的に移行させる。これにより、ユーザが電源オフ状態にするのを忘れた場合でも、未使用時に無音を判断することで、消費電力を低減させ、節電できる。電源オフ状態は、特に限定されないが、本例では、マイコン７及びその周辺回路のみに電源電圧が供給され、他の回路に電源電圧が供給されないスタンバイ状態である（なお、電源オフ状態は、マイコン７への電源電圧の供給も停止する完全電源オフ状態、スリープ状態、又は、ハイバネーション状態でもよい）。
【００３０】
オートパワーオフ回路は、パワーアンプ回路４からの出力音声信号の信号レベルを検出し、パワーアンプ回路４からの出力音声信号が無音判断基準値未満である状態が所定時間以上継続した場合に、無音状態であると判断し、ＡＶアンプ１を電源オン状態からスタンバイ状態に移行させる。音声入力端子２とパワーアンプ回路４（詳細にボリューム調整回路３）との間に音声信号の信号レベルを検出する検出回路を設けると、ＡＶアンプ１が複数の音声入力端子２を備える場合に、各音声入力端子に対してそれぞれ検出回路を設ける必要があるが、本例では、パワーアンプ回路４の出力側に検出回路を設けるので、１つの検出回路だけを設ければよく、各音声入力端子にそれぞれ検出回路を設ける必要がなく、回路規模を小さくできる。
【００３１】
オートパワーオフ回路は、パワーアンプ回路４からの出力音声信号の信号レベルを検出する検出回路（半波整流積分回路６およびピーク検出処理部７ａ）をアンプ保護回路と兼用している。従って、アンプ保護回路を備える場合には、音声信号の信号レベルを検出する検出回路をオートパワーオフ回路のために別途設ける必要がないので、回路規模を小さくすることができる。音声信号の信号レベルを検出する検出回路をアンプ保護回路とオートパワーオフ回路とで兼用できるのは、オートパワーオフ回路がパワーアンプ回路４に入力される音声信号の信号レベルを検出するのではなく、パワーアンプ回路４から出力される出力音声信号の信号レベルを検出するようにしたからである。
【００３２】
マイコン７のオートパワーオフ処理部７ｃは、ピーク検出処理部７ａによって求められたピーク値を監視しており、ピーク値が無音判断基準値未満である状態が所定時間（例えば３０分や１時間等）以上継続した場合に、ＡＶアンプ１の電源状態を電源オン状態からスタンバイ状態に移行させる指示（図１、図２における（４））を電源供給回路１１に供給する。
【００３３】
電源供給回路１１は、マイコン７からの指示（４）に応じて、ＡＶアンプ１の電源状態を電源オン状態から、スタンバイ状態に移行させる。つまり、パワーアンプ回路４からの出力音声信号が無音である状態が所定時間以上継続し、その結果、半波整流積分回路６からの音声信号のデジタル値が無音判断基準値未満である状態が所定時間以上継続した場合に、ＡＶアンプ１を電源オン状態からスタンバイ状態に自動的に移行させることにより、未使用時に節電を図ることができる。
【００３４】
図３は、オートパワーオフ処理部７ｃの処理を示すフローチャートである。図３の処理は継続的に実行される。オートパワーオフ処理部７ｃは、ピーク検出処理部７ａによって求められたピーク値が無音判断基準値未満であるか否かを判断する（Ｓ１）。オートパワーオフ処理部７ｃは、ピーク値が無音判断基準値未満である場合には（Ｓ１でＹＥＳ）、マイコン７に内蔵されている無音検出タイマーをカウントし（Ｓ２）、ピーク値が無音判断基準値以上である場合には（Ｓ１でＮＯ）、無音検出タイマーをリセットする（Ｓ５）。
【００３５】
オートパワーオフ処理部７ｃは、無音検出タイマーのカウント値が所定時間以上になったか否かを判断し（Ｓ３）、所定時間以上になった場合に（Ｓ３でＹＥＳ）、ＡＶアンプ１を電源オン状態からスタンバイ状態に移行させる指示（４）（例えば、ローレベルの信号）を電源供給回路１１に供給する（Ｓ４）。その結果、電源供給回路１１は、ＡＶアンプ１を自動的に電源オン状態からスタンバイ状態に移行させる。
【００３６】
次に本発明の別の好ましい実施形態について説明する。図１のＡＶアンプ１のようにパワーアンプ回路４からの出力音声信号の信号レベルを検出し、無音を判断する場合には、以下の問題が生じる。無音状態であっても、音声入力端子２にノイズ信号が入力されると、ノイズ信号がボリューム調整回路３でボリューム値が調整され、パワーアンプ回路４で増幅されて、出力される。ここで、ボリューム調整回路４のボリューム値が大きく設定されている場合、パワーアンプ回路４から出力されるノイズ信号の信号レベルが大きくなる。従って、無音状態であるにもかかわらず、パワーアンプ回路４から出力されるノイズ信号のデジタル値が無音判断基準値以上であると判断されて、オートパワーオフ処理部７ｃが無音状態であることを判別できなくなる。仮に無音判断基準値を大きく設定しておくと、ノイズ信号のデジタル値が無音判断基準値以上であると判断されることがなくなるが、ボリューム値が小さく設定されている場合に、パワーアンプ回路４から出力される音声信号の信号レベルが小さくなり、誤って無音であると誤判断される可能性がある。
【００３７】
この問題を解決するために、本実施形態では、ボリューム調整回路３に設定されるボリューム値に連動して無音判断基準値を変化させる。つまり、ボリューム調整回路３に設定されるボリューム値が大きく設定されるほど、無音判断基準値も大きく設定する。これにより、ボリューム値が大きく設定され、ノイズ信号の信号レベルが大きく増幅されても、無音判断基準値も同様に大きく設定されるので、ノイズ信号のデジタル値が無音判断基準値以上になることが防止される。その結果、無音状態を正確に判別することができる。また、ボリューム値が小さく設定されると、無音判断基準値も小さく設定されるので、音声信号の信号レベルが小さい場合に誤って無音であると判断されることを防止できる。
【００３８】
図４は、本実施形態のＡＶアンプ２１を示すブロック図である。図５は、本実施形態のマイコン７を示す機能ブロック図である。ユーザ操作によってボリュームノブ２２が回動操作されると、ボリュームノブ２２の回動位置に関する情報がマイコン７のボリューム調整処理部７ｄに供給される（図４、図５の（５））。ボリューム調整処理部７ｄは、回動位置に関する情報に基づいてボリューム値を決定し、決定したボリューム値に相当する増幅率をボリューム調整回路３に設定する（図４、図５の（６））。ボリューム調整回路３は、設定された増幅率で音声信号およびノイズ信号を増幅する。
【００３９】
ボリューム調整処理部７ｄは、決定したボリューム値をオートパワーオフ処理部７ｃに供給する。マイコン７の内部には、図６に示す無音判断基準値テーブルが予め格納されている。無音判断基準値テーブルは、ボリューム値に対応付けて無音判断基準値が登録されている。図６に示すように、無音判断基準値は、ボリューム値が大きくなるほど大きくなるように設定されている。
【００４０】
オートパワーオフ処理部７ｃは、上記の図３の処理に加えて、図７の処理をさらに実行する。図７に示すとおり、オートパワーオフ処理部７ｃは、ボリューム値が変更されたか否かを判断しており（Ｓ１１）、ボリューム値が変更された場合（Ｓ１１でＹＥＳ）、変更されたボリューム値に対応する無音判断基準値を、無音判断基準値テーブルから読み出して、無音判断基準値を設定する（Ｓ１２）。例えば、ボリューム値が４に設定されると、無音判断基準値が０．０００３に設定される。以上のように、本実施形態によると、ボリューム値が大きくなると無音判断基準値も大きく設定されるので、無音状態において、ノイズ信号の信号レベルが大きく増幅されても、ノイズ信号の信号レベルが無音判断基準値以上になることがなく、その結果、無音を正確に検出することができる。
【００４１】
次に、本発明のさらに別の好ましい実施形態を説明する。本実施形態では、図１、図４のＡＶアンプにおいて、アンプ保護回路が設けられておらず、オートパワーオフ回路のみが設けられている。つまり、アンプ電源供給回路８、ファン９、ファン駆動回路１０およびアンプ保護処理部７ｂが省略されている。もしくは、アンプ保護回路が設けられているが、アンプ保護回路とオートパワーオフ回路とで検出回路（半波整流積分回路６およびピーク検出処理部７ａ）を兼用せずに個別に設けてもよい。
【００４２】
次に、本発明のさらに別の好ましい実施形態を説明する。音声信号が複数チャンネル（例えば、前方左、前方右、中央、サラウンド左、サラウンド右の５チャンネル）の音声信号である場合には、全てのチャンネルの音声信号が所定時間継続して無音であることが判断されたときに、自動的に電源オン状態からスタンバイ状態に移行させる必要がある。従って、各チャンネルに対して半波整流積分回路６やピーク検出処理部７ａ等の検出回路を設ける必要がある。
【００４３】
そこで、パワーアンプ４から出力される各チャンネルの音声信号を合成して、その合成信号が無音判断基準値未満である状態が所定時間以上継続した場合に、全てのチャンネルの音声信号が所定時間継続して無音であると判断し、ＡＶアンプを電源オン状態からスタンバイ状態に移行させる。これにより、各チャンネルの音声信号に対して半波整流積分回路６やピーク検出処理部７ａを設ける必要がなく、回路規模を小さくすることができる。また、各チャンネルの音声信号に対して図３のオートパワーオフ処理部７ｃの処理を実行する必要がなく、マイコン７の負荷を軽減できる。このように処理できるのは、パワーアンプ回路４の入力音声信号の信号レベルを検出するのではなく、パワーアンプ回路４の出力音声信号の信号レベルを検出するようにしたからである。
【００４４】
図８は、本実施形態のＡＶアンプ３１を示すブロック図である。パワーアンプ回路４からの５チャンンネルの音声信号は加算回路３２で合成され、合成信号が半波整流積分回路６に供給される。
【００４５】
図９は、本発明のさらに別の好ましい実施形態によるＡＶアンプ４１を示し、図８のＡＶアンプ３１と比較して、加算回路３２を半波整流積分回路６の後段に設けている。半波整流積分回路６からの５チャンネルの音声信号は加算回路３２で合成され、合成信号がマイコン７に供給される。
【００４６】
次に、本発明のさらに別の好ましい実施形態を説明する。上記各実施例では、マイコン７において半波整流積分回路６からの音声信号が所定時間以上継続して無音判断基準値未満であると判断された場合に、ＡＶアンプをスタンバイ状態にしていたが、半波整流積分回路６からの音声信号が無音判断基準値未満になると直ぐにＡＶアンプをスタンバイ状態にしてもよい。
【００４７】
図１０は半波整流積分回路６の一例を示す回路図である。ここで、抵抗Ｒ２とコンデンサＣ１との値を大きくし、時定数を大きく設定することによって、パワーアンプ回路４からの音声信号が無音判断基準値未満である状態が所定時間以上継続して初めて、半波整流積分回路６からの音声信号が無音判断基準値未満となる。言い換えると、パワーアンプ回路４からの音声信号が無音判断基準値未満である状態が所定時間以上継続いないうちは、半波整流積分回路６からの音声信号が無音判断基準値未満とならない。従って、マイコン７においては、図１１に示すように、単に半波整流積分回路６からの音声信号が無音判断基準値未満であるか否かを判断し、無音判断基準値未満であれば、ＡＶアンプをスタンバイ状態にするとよい。
【００４８】
以上、本発明の好ましい実施形態を説明したが、本発明はこれらの実施形態には限定されない。
【産業上の利用可能性】
【００４９】
本発明は、ＡＶアンプ、アンプ等に好適に採用され得る。
【符号の説明】
【００５０】
１              ＡＶアンプ
２              音声入力端子
３              ボリューム調整回路
４              パワーアンプ回路
５              スピーカーターミナル
６              半波整流積分回路
７              マイコン
７ａ            ピーク検出処理部
７ｂ            アンプ保護処理部
７ｃ            オートパワーオフ処理部
７ｄ            ボリューム調整処理部
８              アンプ電源供給回路
９              ファン
１０            ファン駆動回路
１１            電源供給回路
２１            ＡＶアンプ
２２            ボリュームノブ
【図１】
2011166736.tif 000003
【図２】
2011166736.tif 000004
【図３】
2011166736.tif 000005
【図４】
2011166736.tif 000006
【図５】
2011166736.tif 000007
【図６】
2011166736.tif 000008
【図７】
2011166736.tif 000009
【図８】
2011166736.tif 000010
【図９】
2011166736.tif 000011
【図１０】
2011166736.tif 000012
【図１１】
2011166736.tif 000013
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
入力音声信号を増幅し、出力音声信号を出力するアンプ回路と、
前記アンプ回路から出力される出力音声信号の信号レベルが、無音判断基準値未満であるか否かを判断する第１信号レベル判断部と、
前記アンプ回路から出力される出力音声信号の信号レベルが無音判断基準値未満であると判断された場合に、増幅装置を電源オン状態から電源オフ状態に移行させる電源制御部と、
前記入力音声信号の信号レベルを設定されたボリューム値に応じて調整し、前記アンプ回路に供給するボリューム調整部と、
前記ボリューム調整部の前記ボリューム値をユーザ操作に応じて設定するボリューム値設定部と、
前記ボリューム値が大きくなるほど前記無音判断基準値が大きくなるように、前記ボリューム値と前記無音判断基準値とを対応付けて予め管理する無音判断基準値管理部と、
前記ボリューム値設定部によって設定されたボリューム値に対応する前記無音判断基準値を、前記無音判断基準値管理部から読み出して、前記無音判断基準値として決定する無音判断基準値決定部とを備える、増幅装置。
【請求項２】
前記第１信号レベル判断部が、前記アンプ回路から出力される出力音声信号の信号レベルが、無音判断基準値未満である状態が所定時間以上継続したか否かを判断し、
前記アンプ回路から出力される出力音声信号の信号レベルが無音判断基準値未満である状態が所定時間以上継続したと判断された場合に、前記電源制御部が、増幅装置を電源オン状態から電源オフ状態に移行させる、請求項１に記載の増幅装置。
【請求項３】
前記アンプ回路から出力される出力音声信号の信号レベルが、アンプ保護基準値以上であるか否かを判断する第２信号レベル判断部と、
前記アンプ回路から出力される出力音声信号の信号レベルが前記アンプ保護基準値以上であると判断された場合に、前記アンプ回路を保護する処理を実行するアンプ保護部とをさらに備える、請求項１または２に記載の増幅装置。
【請求項４】
前記入力音声信号が複数チャンネルの入力音声信号を含み、
前記第１信号レベル判断部が、前記アンプ回路から出力される複数チャンネルの出力音声信号の合成信号の信号レベルが、無音判断基準値未満であるか否かを判断し、
前記電源制御部が、前記アンプ回路から出力される複数チャンネルの出力音声信号の合成信号の信号レベルが、無音判断基準値未満であると判断された場合に、増幅装置を電源オン状態から電源オフ状態に移行させる、請求項１〜３のいずれかに記載の増幅装置。